(57)【要約】      （修正有）【課題】流し読み用とブック読み用にそれぞれ独立した原稿台ガラスを備え、密着型イメージセンサによる原稿読取精度を高めて良質の画像が得られ、装置大型化も抑えられる画像読取装置を提供する。【解決手段】静止原稿プラテンガラス６と搬送原稿プラテンガラス１８はガラス間段差があるように設けられ、静止原稿プラテンガラス６と搬送原稿プラテンガラス１８との間を、読取手段である密着型イメージセンサ１６が移動する際には、搬送原稿プラテンガラス１８と静止原稿プラテンガラス６のそれぞれに対応する面位置まで高分子アクチュエータ２１で密着型イメージセンサ１６を上下動させる。搬送原稿プラテンガラス１８上での搬送原稿の読取後、高分子アクチュエータを伸長動作させて密着型イメージセンサ１６を押し下げ、静止原稿プラテンガラス６上の静止原稿を読み取るべく密着型イメージセンサ１６を移動できる状態にする。【選択図】図４
2008301313.tif 000002
【特許請求の範囲】
【請求項１】
読取手段によって、静止原稿プラテンガラスの上に載置された静止原稿を、前記静止原稿プラテンガラスを介して読み取るとともに、搬送原稿プラテンガラスの上に搬送されてきた搬送原稿を、前記搬送原稿プラテンガラスを介して読み取る画像読取装置であって、
前記静止原稿プラテンガラスと前記搬送原稿プラテンガラスとは厚さ方向で位置が異なるように隣接して設けられ、前記読取手段が前記搬送原稿プラテンガラスと前記静止原稿プラテンガラスとの間を移動する際に前記読取手段を前記搬送原稿プラテンガラスおよび前記静止原稿プラテンガラスの厚さ方向に移動させる移動手段が設けられたことを特徴とする画像読取装置。
【請求項２】
前記移動手段が、電圧の印加によって伸縮動作して前記読取手段を厚み方向に動かす高分子アクチュエータでなっていることを特徴とする請求項１に記載の画像読取装置。
【請求項３】
前記高分子アクチュエータが高分子の単体、または高分子と金属との複合体でなっていることを特徴とする請求項２に記載の画像読取装置。
【請求項４】
前記高分子アクチュエータに正電圧を印加して伸長動作させることによって前記読取手段が押し下げられて、前記静止原稿プラテンガラスにおける走査移動が可能となることを特徴とする請求項１乃至３のいずれか１項に記載の画像読取装置。
【請求項５】
前記読取手段がＣＣＤを含む密着型イメージセンサであって、前記静止原稿プラテンガラスおよび前記搬送原稿プラテンガラスにおける原稿と反対側の面と当接することを特徴とする請求項１乃至４のいずれか１項に記載の画像読取装置。
【発明の詳細な説明】
【技術分野】
【０００１】
本発明は、複写機、ファクシミリ装置、プリンタおよび複合機などの画像形成装置に装備される画像読取装置に関するものである。
【背景技術】
【０００２】
近年の画像読取装置は、原稿台上に載置した静止原稿を読み取るブック読み機構と、原稿トレイにセットした複数枚の搬送原稿を一枚ずつ分離して搬送しつつ読み取る流し読み機構の両方を備えたものが主流となってきている。後者の流し読み機構ではＡＤＦ（Auto Document Feeder）を搭載して構成される。
【０００３】
先に、本出願人らはブック読み機構用の原稿台ガラスと流し読み機構用の原稿台ガラスをそれぞれ独立して設けた構造の画像読取装置を提案している。それらの提案のうち、両機構用の原稿台ガラスを面一に並置してＣＣＤ（Charge Coupled Device）などを備えた密着型イメージセンサを移動させて原稿を走査して読み取るようにしたものがある（たとえば、特許文献１参照）。その場合、ブック読み用原稿台ガラスと流し読み用原稿台ガラスとの間の境目には、搬送原稿のガイド部材であるジャンプ台が搬送方向に直交して設けられ、読込終了した搬送原稿がブック読み用原稿台ガラスに流れてしまわないようにジャンプ台がすくい取るように搬送原稿をガイドする。すなわち、ＡＤＦから流し読み用原稿台ガラス上に送って画像が読み込まれた搬送原稿はジャンプ台ですくい取られ、上り斜面のガイド部材で案内して排紙される。
【０００４】
密着型イメージセンサが流し読みされる搬送原稿を読み取る場合には、密着型イメージセンサは、流し読み用の原稿台ガラスの下面に位置する。静止状態の静止原稿を読み取る場合には、密着型イメージセンサはブック読み用の原稿台ガラスの下面に位置する。よって、搬送原稿を読み取りと静止原稿の読み取りとを切り替える場合には、流し読み用の原稿台ガラスとブック読み用の原稿台ガラスとの間を移動する。
【０００５】
上記特許文献１に開示されている構成は、流し読み用の原稿台ガラスとブック読み用の原稿台ガラスとの間のガラス間段差がない構成である。そして流し読み用の原稿台ガラスと、ブック読み用の原稿台ガラスと、ジャンプ台が形成された部材と、をステンレス鋼材などにより断面コ字形レール状に加工したガラスホルダで挟持させている。そして、密着型イメージセンサの移動用のレールとして、ガラスホルダホルダを用いている。このように構成することでガラス間段差を無くしている。
【０００６】
なお、上記ジャンプ台は、ＡＤＦからの搬送原稿を流し読み用の原稿台ガラス上で読み取った後にすくい取るほか、流し読み用の原稿台ガラスからブック読み用の原稿台ガラスに跨って両ガラスの背面から担持し、両ガラスの撓みを吸収する機能を有している。
【０００７】
特許文献２には、流し読み用の原稿台ガラスとブック読み用の原稿台ガラスとの間のガラス間段差がある場合の構成を開示している。特許文献２では、両原稿台ガラス間、即ち両原稿台ガラス間にある搬送ガイドを、密着型イメージセンサが通過する時に、密着型イメージセンサに形成された被ガイド部材が潜行ガイドに突き当たり、密着型イメージセンサの被ガイド部材が潜行ガイドの下面に摺接しながら移動する。潜行ガイドには傾斜面が形成されている。そして、両原稿台ガラス間の段差部や両原稿台ガラス間にある搬送ガイドと当たらないように、密着型イメージセンサは、潜行ガイドの傾斜面によって自身の移動に伴って原稿台ガラスから離れて、下方へ潜り込みながら移動する。
【０００８】
【特許文献１】特開２００３-２８３７６７号公報
【特許文献２】特開２００２−２１８１７６号公報
【発明の開示】
【発明が解決しようとする課題】
【０００９】
ところで、特許文献１の構成のように、ガラスホルダによって原稿台ガラス間段差をなくして面一に並べて固定する構造にあっては、ガラスホルダを密着型イメージセンサのレールとして用いている。したがって、ガラスホルダ自身に加工精度や組立誤差があると、密着型イメージセンサによる読取精度を低下させるといった新たな問題点がある。
【００１０】
すなわち、断面コ字形にレール加工されるガラスホルダ自身、その板厚に許容公差内での寸法誤差があったり、平滑性でいうホルダ平面精度が低い場合、そして組み付ける際の組立誤差がある。そのようなガラスホルダ自身の精度のために、密着型イメージセンサとして焦点深度の浅いものを用いた場合はその焦点距離にずれを生じて読取精度が低下し、画像不良の原因となるのである。
【００１１】
ガラス板間段差があって、潜行ガイドによって密着型イメージセンサを潜行ガイドの傾斜面によって潜り込ませながら移動させる特許文献２の構成では、潜行ガイドの傾斜面の分、密着型イメージセンサの移動領域を確保しなければならない。したがって、密着型イメージセンサの移動方向に装置が大きくせざるを得ない。
【００１２】
なお、別の問題点の１つに、ＡＤＦから送り込まれた搬送原稿を流し読み用の原稿台ガラスからすくい上げるジャンプ台を２つの原稿台ガラス間に設けると、そのジャンプ台の幅や長さの寸法分だけ画像読取装置が大型化し、それが画像形成装置の大きさにも反映してしまう。
【００１３】
以上から、本発明の目的は、流し読み用とブック読み用にそれぞれ独立した原稿台ガラスを備えたタイプにあって、密着型イメージセンサによる原稿読取精度を高めて良質の画像が得られ、装置大型化も抑えられる画像読取装置を提供することにある。
【課題を解決するための手段】
【００１４】
上記目的を達成するために、本発明の画像読取装置は、読取手段によって、静止原稿プラテンガラスの上に載置された静止原稿を、前記静止原稿プラテンガラスを介して読み取るとともに、搬送原稿プラテンガラスの上に搬送されてきた搬送原稿を、前記搬送原稿プラテンガラスを介して読み取る画像読取装置であって、前記静止原稿プラテンガラスと前記搬送原稿プラテンガラスとは厚さ方向で位置が異なるように隣接して設けられ、前記読取手段が前記搬送原稿プラテンガラスと前記静止原稿プラテンガラスとの間を移動する際に前記読取手段を前記搬送原稿プラテンガラスおよび前記静止原稿プラテンガラスの厚さ方向に移動させる移動手段が設けられたことを特徴とするものである。
【発明の効果】
【００１５】
本発明の画像読取装置によれば、静止原稿プラテンガラスと搬送原稿プラテンガラスがガラス間段差を設けて配置されている。ガラス間段差が有る静止原稿プラテンガラスと搬送原稿プラテンガラスとの間を読取手段が移動する際、移動手段を駆動させて読取手段をプラテンガラスの厚さ方向方向に移動させる。よって、搬送原稿プラテンガラスと静止原稿プラテンガラスとが隣接して設けることができるので、画像読取装置本体の大型化を抑えられる。
【発明を実施するための最良の形態】
【００１６】
以下、本発明に係る画像読取装置の好適な実施形態について図面を参照して詳細に説明する。
【００１７】
図１および図２に外観を示すように、本実施形態の画像読取装置は大別して下部側の本体Hと上部側の圧板ユニット１からなり、本体の上面に圧板ユニット１が開閉方向にヒンジ３で回動可能に連結されている。圧板ユニット１はＡＤＦ機能によって複数枚重ねした搬送原稿Ｄ１を連続して流して一枚ずつ記録情報を読み取る搬送原稿読取部５を有している。また、圧板ユニット１の内側には、載置した状態でブック読みされる静止原稿Ｄ２を上から押さえて静止画像として読み取るための白地板２が取り付けられている。
【００１８】
図３を参照して、上記搬送原稿読取部５は、圧板ユニット１内に設けられたＵターンパス７を有し、このＵターンパス７は以下の各部材で構成されている。Ｕターンパス７は、分離ローラ８、分離パット９、分離ローラ８に当接している予備搬送部材１０、そして搬送原稿Ｄ１の有無を検出する原稿検出センサ１１を有する。さらに、Ｕターンパス７は搬送原稿Ｄ１を搬送する搬送ローラ１３、排紙ローラ対１４、そして搬送原稿Ｄ１の先端部と後端部を検出する原稿エッジセンサ１５などを有して構成されている。したがって、この搬送原稿読取部５では、原稿エッジセンサ１５が搬送原稿Ｄ１の先端部を検出すると、その検出位置からさらに所定距離だけその搬送原稿Ｄ１が搬送された地点でＣＣＤなどの密着型イメージセンサ（読取手段）１６が読取開始する。
【００１９】
密着型イメージセンサ１６は、図３中の符号Ｘで示す要部を拡大して図４に示すように、光源となるＬＥＤアレイから搬送原稿Ｄ１の読取面に光を照射し、読取面で反射した反射光をたとえばセルフォックレンズ（商標）でセンサ素子に結像して画像情報を読み取る。
【００２０】
密着型イメージセンサ１６の上方部には後述する静止原稿プラテンガラス６よりも上位に段差をもって搬送原稿プラテンガラス１８が設けられている。搬送原稿Ｄ１を搬送原稿プラテンガラス１８に押し付けて読取補助するための押圧部材２０が圧板ユニット１側に設けられている。搬送原稿プラテンガラス１８の下流側には読取後の搬送原稿Ｄ１を排紙方向に受け渡す案内をする上り斜面のガイド部材１９が、圧板ユニット１を閉じた状態で静止原稿プラテンガラス６に隣接するように、圧板ユニット１に配置されている。搬送原稿プラテンガラス１８を静止原稿プラテンガラス６よりも高く段差を設けることで、搬送原稿プラテンガラス１８上で読取終了した搬送原稿Ｄ１が静止原稿プラテンガラス６の方へと流れてしまわないよう、上り斜面のガイド部材１９で案内して排紙する。なお、搬送原稿プラテンガラス１８と静止原稿プラテンガラス６の両ガラスの境目から画像読取装置の本体内に塵埃や異物が侵入するのを防ぐスポンジ部材２５が設けられている。
【００２１】
したがって、搬送原稿プラテンガラス１８と静止原稿プラテンガラス６との間に敢えてガラス間段差を設けることで前述の従来構造のように、搬送原稿Ｄ１をすくい取るための「ジャンプ台」は、本体H側であって搬送原稿プラテンガラス１８と静止原稿プラテンガラス６との間には不要である。それにより部材点数が省けるほか、ジャンプ台を設ける構成と比較して画像読取装置が大型化しないで済む。
【００２２】
ところで、搬送原稿プラテンガラス１８と静止原稿プラテンガラス６との間に敢えて段差を設けたことで、密着型イメージセンサ１６が両ガラスの一方から他方に、他方から一方へと移動する際に密着型イメージセンサ１６を上下方向に段差を解消すべく微動調整する。密着型イメージセンサ１６は静止原稿プラテンガラス６および搬送原稿プラテンガラス１８における原稿と反対側の面に当接する。そうした密着型イメージセンサ１６の上下微動調整が本実施形態の主旨である。以下、それについて説明する。
【００２３】
密着型イメージセンサ１６は、下方から付勢ばね２２を介してセンサホルダ１７に保持され、付勢ばね２２によってセンサ上部に設けたスペーサ２３を介して搬送原稿プラテンガラス１８の下面に下方から押し付ける方向に付勢されている。スペーサ２３には摺動性樹脂材が用いられ、密着型イメージセンサ１６を搬送原稿Ｄ１の読取開始位置Ｚから静止原稿Ｄ２の読取開始位置Ｗへ移動させる際、その摺動抵抗を軽減するようセンサ両端に取り付けられている。密着型イメージセンサ１６に設けられたスペーサ２３が搬送原稿プラテンガラス１８と直接、接することで、搬送原稿プラテンガラス１８に対する密着型イメージセンサ１６の位置が決められる。よって、搬送原稿プラテンガラス１８の上面を搬送される原稿を密着型イメージセンサ１６の読取焦点距離内に確保することができる。なお、搬送原稿Ｄ１から静止原稿Ｄ２への読取切替時に密着型イメージセンサ１６を搬送原稿プラテンガラス１８や静止原稿プラテンガラス６と平行な方向に移動させるセンサ移動機構については、機能を果たせるならば特別な限定はない。本実施形態では、センサホルダ１７を不図示のモータによって移動させて密着型イメージセンサ１６を搬送原稿プラテンガラス１８や静止原稿プラテンガラス６と平行な方向に移動させている。
【００２４】
（センサ上下動構成：第１実施形態）
密着型イメージセンサ１６を搬送原稿プラテンガラス１８から静止原稿プラテンガラス６へと移動させるために、密着型イメージセンサ１６を、静止原稿プラテンガラス６との対応レベルにまで下げるように移動させるべく作動する高分子アクチュエータ（移動手段）２１が備わっている。
【００２５】
この高分子アクチュエータ２１は、高分子の単体、または高分子と金属との複合体でなっていて、電圧を印加すると伸縮動作するという特性を利用する。本実施形態では正（＋）電圧の印加によって伸びる方向に動作し、負（−）電圧の印加によって縮む方向に動作する特性が利用され、読取手段である上記密着型イメージセンサ１６が押し下げられて、静止原稿プラテンガラス６における走査移動が可能となる。図５中の符号Ｂで示す方向からみた図６において、高分子アクチュエータ２１はフレーム部材２４に取り付けられている。密着型イメージセンサ１６との間に介在させてスペーサ２３が設けられ、搬送原稿プラテンガラス１８に接触する当接面２３ａと高分子アクチュエータ２１に接触する当接面２３ｂを有している。
【００２６】
ここで、静止原稿プラテンガラス６については、そのガラス上面に載置してセットされた単葉紙などブック読み対象となる静止原稿Ｄ２を上から圧板ユニット１で押さえて密着させることによって、その静止原稿Ｄ２の画像情報をブック読みするようになっている。
【００２７】
したがって、この第１実施形態の画像読取装置における密着型イメージセンサ１６はつぎのように作動する。
【００２８】
（搬送原稿Ｄ１の読取時）
まず、ＡＤＦによって送られる複数枚の搬送原稿Ｄ１を読み取るとき、それら複数枚の搬送原稿Ｄ１が読取面を上にして原稿トレイ４にセットされ、そのセットされた搬送原稿Ｄ１を原稿検出センサ１１が検出する。
【００２９】
ユーザは操作部１２にて入力操作して読取開始の作動オンを指示する。搬送原稿読取部５が作動し、予備搬送部材１０によって搬送原稿Ｄ１が分離ローラ８と分離パット９との分離部まで搬送され、搬送原稿Ｄ１を一枚ずつ分離して最上位のものを搬送する。分離された最上位の搬送原稿Ｄ１は搬送ローラ１３によってＵターンパス７に沿って搬送され、密着型イメージセンサ１６による読取部へと向かう。
【００３０】
原稿エッジセンサ１５によって搬送原稿Ｄ１の先端部が検出されると、その先端部検出位置からさらに所定距離だけ搬送された地点、図４中符号Ｚ位置から密着型イメージセンサ１６によって搬送原稿Ｄ１に対する読取走査が開始される。搬送原稿Ｄ１は排紙ローラ対１４（図３参照）に向かい、搬送原稿Ｄ１の後端を原稿エッジセンサ１５が検出すると、その後端検出位置から所定距離だけ搬送された地点で密着型イメージセンサ１６による搬送原稿Ｄ１の読み取りが終了する。読取終了した搬送原稿Ｄ１はガイド部材１９から排紙ローラ対１４によって装置外へと排出される。搬送原稿読取部５ではそのようにして最後の搬送原稿Ｄ１の読み取りが終了するまで、原稿検出センサ１１によって原稿無しが検出されるまで同様な読取動作を繰り返す。
【００３１】
（静止原稿Ｄ２の読取時）
密着型イメージセンサ１６は、静止原稿プラテンガラス６に載置セットされた静止原稿Ｄ２を読み取るために、搬送原稿Ｄ１の読取開始位置Ｚから静止原稿Ｄ２の読取開始位置Ｗまで移動しなければならない。そこでまず、密着型イメージセンサ１６を静止原稿プラテンガラス６や搬送原稿プラテンガラス１８の厚さ方向に移動させる。即ち、静止原稿の読取開始位置Ｗに移動するには密着型イメージセンサ１６を静止原稿プラテンガラス６に対応する高さレベルにまで下げるように位置調整する。図４〜図７を参照してセンサ高さレベル調整の作用について説明する。
【００３２】
静止原稿プラテンガラス６上の静止原稿Ｄ２を読み取るために、密着型イメージセンサ１６をそれまでの搬送原稿プラテンガラス１８の高さレベルから静止原稿プラテンガラス６の高さレベルまで下げるように移動させる。その高さ調整を終えてから静止原稿Ｄ２を読み取るために密着型イメージセンサ１６が、静止原稿プラテンガラス６と平行な方向へ移動できる状態になる。
【００３３】
図５に示すように、高分子アクチュエータ２１に正電圧を印加して伸長方向に動作させる。正電圧の印加によって高分子アクチュエータ２１が伸長動作すると、その高分子アクチュエータ２１がスペーサ２３の当接面２３ｂに当接して密着型イメージセンサ１６をスペーサ２３と共に下方へ押し下げるように移動する（図５、図６参照）。そのようにして密着型イメージセンサ１６が押し下げられると、密着型イメージセンサ１６がスペーサ２３と共に高さレベルを下げる方向に微調整され、図５中符号Ｖで示す方向に移動可能となる。図７に示すように、密着型イメージセンサ１６が静止原稿Ｄ２の読取開始位置Ｗまで移動した段階で、密着型イメージセンサ１６は図中Ｖ方向に移動しながら静止原稿プラテンガラス６上に載置された静止原稿Ｄ２を走査して読み取る。その間、静止原稿Ｄ２としては搬送原稿プラテンガラス１８の一面１８ａに突き当てて位置決めされている。密着型イメージセンサ１６に設けられたスペーサ２３は、静止原稿プラテンガラス６の下面と直接、接することで、静止原稿プラテンガラス６に対する密着型イメージセンサ１６の位置が決められる。静止原稿プラテンガラス６の上面に載置された原稿は、密着型イメージセンサ１６の読取焦点距離内となる。
【００３４】
逆に、高分子アクチュエータ２１に負電圧を印加すれば、図６中符号Ｕで示す点線部まで高分子アクチュエータ２１が収縮動作する。その動作によって、図４に示すように、スペーサ２３の当接面２３ａが搬送原稿プラテンガラス１８に当接し、高分子アクチュエータ２１と当接面２３ｂが離れて密着型イメージセンサ１６が再び搬送原稿Ｄ１を読み取る高さレベルに戻る。すなわち、高分子アクチュエータに正（＋）電圧の印加して伸びる高分子アクチュエータを伸ばした状態で、静止原稿Ｄ２の読取開始位置Ｗから搬送原稿Ｄ１の読取位置Ｚへ密着型イメージセンサ１６を後戻りして移動させる。その後、高分子アクチュエータ２１を縮ませて密着型イメージセンサ１６の高さレベルを微調整して上げる。そのようにして搬送原稿Ｄ１の読取開始位置Ｚへと円滑に受渡しを行う。スペーサ２３が静止原稿プラテンガラス６から高分子アクチュエータ２１への受渡しが終了した後、さらに高分子アクチュエータ２１を図６の点線Ｕの位置まで縮ませ、搬送原稿Ｄ１の読取状態とする（図４参照）。
【００３５】
なお、搬送原稿プラテンガラス１８の下面には図中符号Ｙで示す幅を有する静止原稿Ｄ２の指標シート２６が貼着されている。指標シート２６の長手方向の長さ寸法はスペーサ２３が搬送原稿プラテンガラス１８に当接しても、スペーサ２３に干渉しないような長さに設定されている。
【００３６】
以上から、第１実施形態によれば、搬送原稿Ｄ１から静止原稿Ｄ２に、またはその逆に読み取りを切り替えるとき、搬送原稿プラテンガラス１８の高さレベルから静止原稿プラテンガラス６の高さレベルまで密着型イメージセンサ１６を微調整して下げる。それによって静止原稿プラテンガラス６と搬送原稿プラテンガラス１８間の密着型イメージセンサ１６の受渡しがスムーズとなる。すなわち、敢えて設けた搬送原稿プラテンガラス１８と静止原稿プラテンガラス６との間のガラス間段差に対応して、高分子アクチュエータ２１によって密着型イメージセンサ１６を微調整して上下動させる。そのようにして搬送原稿プラテンガラス１８の高さレベルで搬送原稿Ｄ１の読取焦点距離を合わせ、かつ静止原稿プラテンガラスの高さレベルで静止原稿Ｄ２の読取焦点距離を合わせることによって、高精度の読取走査で高品質画像を得ることができる。また、搬送原稿プラテンガラス１８と静止原稿プラテンガラス６のガラス間段差を利用して、搬送される原稿を、圧板ユニット１に設けられたガイド部材１９によって圧板ユニット１内へガイドしている。したがって、装置本体Ｈ側であって静止原稿プラテンガラス６と搬送原稿プラテンガラス１８間に、従来のジャンプ台は不要となり、その分だけ装置の小型化が実現できる。
【００３７】
（センサ上下微動調整：第２実施形態）
つぎに、図８は、本発明による第２実施形態を示す。第１実施形態では高分子アクチュエータ２１を用いて密着型イメージセンサ１６を上下方向に微動調整した。本実施形態ではその高分子アクチュエータ２１に代えて揺動部材２７を設け、この揺動部材２７に設けたボス部２７ａ，２７ｂを読取フレーム部材２４に設けた係合凹部２４ａ，２４ｂに挿し込んで係合させる。そうした係合によって揺動部材２７が上下方向に揺動可能であり、ばね部材２９の弾性力でもって図でいう上方向に押圧付勢されている。
【００３８】
また、上記ボス部２７ｃには読取フレーム部材２４に取り付けたワイヤ状の形状記憶部材２８が掛けられている。この形状記憶部材２８は、それ自身に電流を通電させると収縮動作をする特性を有するものである。そこで、形状記憶部材２８への通電によって収縮させて揺動部材２７を下方向に移動させることにより、図８に示すように、密着型イメージセンサ１６を押し下げる。また、通電を停止すると、形状記憶部材２８は、図中点線部２８ａに示すように伸びて元の状態に戻る。それに連動して揺動部材２７はボス部２７ｃが点線部２８ａに掛かるまでばね部材２９による上方向への付勢で上部に移動し、密着型イメージセンサ１６もまた上部に微動して調整される。
【００３９】
以上、本発明について数例の実施形態が説明されたが、本発明の主旨を逸脱しない範囲内でその他の実施形態、応用例、変形例およびそれらの組み合わせも可能である。
【図面の簡単な説明】
【００４０】
【図１】本発明に係る画像読取装置を示す斜視図。
【図２】同画像読取装置において圧板ユニットを開いて静止原稿Ｄ２をセットした態を示す斜視図。
【図３】ＡＤＦを含む第１実施形態の画像読取装置の要部を示す断面図。
【図４】第１実施形態において密着型イメージセンサが搬送原稿プラテンガラスにて搬送原稿Ｄ１を読み取る状態を拡大して示す図。
【図５】第１実施形態において高分子アクチュエータによって密着型イメージセンサを微調整で下げて静止原稿プラテンガラスにおける静止原稿Ｄ２の読取開始状態を拡大して示す図。
【図６】図５を搬送方向からみて示す図。
【図７】第１実施形態において静止原稿Ｄ２の読取開始状態を示す図。
【図８】本発明に係る第２実施形態を示す図。
【符号の説明】
【００４１】
１            ・・・圧板ユニット
２            ・・・白地板
５            ・・・搬送原稿読取部
６            ・・・静止原稿プラテンガラス
１６          ・・・密着型イメージセンサ（読取手段）
１７          ・・・密着型イメージセンサのセンサホルダ
１８          ・・・搬送原稿プラテンガラス
２０          ・・・押圧部材
２１          ・・・高分子アクチュエータ（上下動手段）
２３          ・・・スペーサ
２４          ・・・読取フレーム部材
２５          ・・・スポンジ部材
２６          ・・・指標シート
【図１】
2008301313.tif 000003
【図２】
2008301313.tif 000004
【図３】
2008301313.tif 000005
【図４】
2008301313.tif 000006
【図５】
2008301313.tif 000007
【図６】
2008301313.tif 000008
【図７】
2008301313.tif 000009
【図８】
2008301313.tif 000010